(57)【要約】【課題】連続開閉期間中であっても開閉羽根を強制的に開いて不正に入賞口に入賞させる不正行為を検知する。【解決手段】開閉羽根が連続して３回開閉する連続開閉期間には、第１エラー検知部の作動を停止し、第２エラー検知部を作動させる。第２エラー検知部は、連続開閉期間中に入賞した入賞数をカウントするカウンタと、予め設定した規定値を記憶する規定値記憶部とを有する。連続開閉期間中においてカウンタのカウント値が規定値を超えたときに、第２エラー検知部はエラー信号を出力する。【選択図】図４
2009061145.tif 000002
【特許請求の範囲】
【請求項１】
遊技盤面に設けられた入賞口に遊技球が入り込み難い閉位置と入り込み易い開位置との間で変位する一対の開閉部材と、前記開閉部材を前記閉位置及び開位置に駆動する開閉部材駆動手段とを備え、所定の条件が満たされたときに前記開閉部材が所定回数連続して開閉駆動される連続開閉期間が設定される弾球遊技機において、
前記開閉部材が前記閉位置に位置しているか否かを検出する位置検出手段と、
前記開閉部材が前記閉位置に位置していないことが検出されたときに、エラー信号を出力する第１のエラー検知手段と、
前記連続開閉期間に前記第１のエラー検知手段の作動を停止する制御手段と、
前記入賞口に入賞した遊技球を検知する遊技球検知手段と、
前記連続開閉期間内に前記遊技球検知手段が検知した検知回数を計数し、この計数値が予め設定した規定値を超えたときに、エラー信号を出力する第２のエラー検知手段と、を備えることを特徴とする弾球遊技機。
【請求項２】
前記一対の開閉部材の上方には構造部材が設けられており、
前記一対の開閉部材は、各開閉部材の下端部に設けられた回転軸を中心に揺動回転して、前記開位置では逆ハの字になる形態をとり、前記閉位置では各開閉部材の上端部が前記構造部材の下面に対面するように互いに平行に起立する形態をとり、
前記位置検出手段は、前記開閉部材の上端部が検出できるように前記構造部材の下面に設けられていることを特徴とする請求項１記載の弾球遊技機。
【請求項３】
前記連続開閉期間のうち前記開閉部材が一回開閉駆動される期間毎に前記遊技球検知手段が検知した検知回数を計数し、この計数値が予め設定した一回開閉分の規定値を超えたときに、エラー信号を出力する第３のエラー検知手段を備えることを特徴とする請求項１または２記載の弾球遊技機。
【発明の詳細な説明】
【技術分野】
【０００１】
本発明は、入賞口を開閉する一対の開閉部材を有する入賞装置を備えた弾球遊技機に関する。
【背景技術】
【０００２】
パチンコ店などの遊技場に設置される弾球遊技機としてパチンコ機が知られている。このパチンコ機の遊技盤面には始動チャッカー（または電動チューリップ）と呼ばれる入賞装置が設けられており、始動チャッカーに遊技球が入賞したことを受けて当り抽選を行っている。このため、遊技者にとっては始動チャッカーに多くの遊技球を入賞させることが大きな関心事になっている。
【０００３】
始動チャッカーは一対の開閉羽根を有しており、この一対の開閉羽根は、略逆ハ字形になって遊技球が入賞し易くなる開位置と、互いに平行に起立して遊技球が入賞し難くなる閉位置とをとる。一対の開閉羽根は、ソレノイド及びこのソレノイドの駆動力を開閉羽根に伝達する伝達機構などにより構成される羽根駆動部によって駆動される。
【０００４】
ところで、従来から、遊技盤の前面を覆うガラス扉の隙間からピアノ線を遊技盤面に這わせ、このピアノ線を開閉羽根に引っ掛けて開閉羽根を強制的に開かせ、不正に多くの遊技球を始動チャッカーに入賞させる不正行為、いわゆるピアノ線ゴトが知られている。
【０００５】
このピアノ線ゴトなどの不正行為に対処するための技術が以下の特許文献に記載されている。特許文献１記載の入賞装置は、羽根駆動部の伝達機構に抑え片及び切欠部を設け、開閉羽根が開位置に駆動されると抑え片が切欠部に嵌り込み、開閉羽根が閉位置に駆動されると抑え片が切欠部から抜け出すように構成されており、例えばピアノ線を用いて開閉羽根を強制的に開こうとしても抑え片が開閉羽根を制止する。しかしながら、この技術では、抑え片を羽根駆動部の伝達機構に組み込んでいることから抑え片が小さな部材となり、例えばピアノ線が強く引っ張られて開閉羽根に強い力がかかった場合には抑え片が破損して開閉羽根が開かれるという問題があった。
【０００６】
特許文献２記載のパチンコ機では、開閉羽根の開閉処理が行われていない場合に入賞口への入賞があれば、球払出機構の払出駆動を停止する技術が記載されている。
【特許文献１】特開２００１−３１４５７９号公報
【特許文献２】特開２００４−１０５７０９号公報
【発明の開示】
【発明が解決しようとする課題】
【０００７】
しかしながら、特許文献２記載の技術では、開閉処理が行われていない場合の不正行為については検知可能であるものの、開閉処理中の不正行為、例えば開閉羽根が所定回数連続して開閉される連続開閉期間中に開閉羽根を強制的に開いて不正に入賞させる不正行為については検知できず、不正に賞球が得られてしまうおそれがある。
【０００８】
本発明は、開閉羽根が所定回数連続して開閉される連続開閉期間中であっても、不正に入賞口に入賞させる行為を検知できる弾球遊技機を提供することを目的とする。
【課題を解決するための手段】
【０００９】
本発明は、遊技盤面に設けられた入賞口に遊技球が入り込み難い閉位置と入り込み易い開位置との間で変位する一対の開閉部材と、前記開閉部材を前記閉位置及び開位置に駆動する開閉部材駆動手段とを備え、所定の条件が満たされたときに前記開閉部材が所定回数連続して開閉駆動される連続開閉期間が設定される弾球遊技機に関し、前記開閉部材が前記閉位置に位置しているか否かを検出する位置検出手段と、前記開閉部材が前記閉位置に位置していないことが検出されたときに、エラー信号を出力する第１のエラー検知手段と、前記連続開閉期間に前記第１のエラー検知手段の作動を停止する制御手段と、前記入賞口に入賞した遊技球を検知する遊技球検知手段と、前記連続開閉期間内に前記遊技球検知手段が検知した検知回数を計数し、この計数値が予め設定した規定値を超えたときに、エラー信号を出力する第２のエラー検知手段と、を備えることを特徴とする。
【００１０】
前記一対の開閉部材の上方には構造部材が設けられており、前記一対の開閉部材は、各開閉部材の下端部に設けられた回転軸を中心に揺動回転して、前記開位置では逆ハの字になる形態をとり、前記閉位置では各開閉部材の上端部が前記構造部材の下面に対面するように互いに平行に起立する形態をとり、前記位置検出手段は、前記開閉部材の上端部が検出できるように前記構造部材の下面に設けられていることが好ましい。これにより、開閉部材と構造部材との間で球噛みが生じにくい構成になる。また、位置検出手段を構造部材の側面に配置する場合と比較して、位置検出手段が誤検知しにくい構成になる。
【００１１】
前記連続開閉期間のうち前記開閉部材が一回開閉駆動される期間毎に前記遊技球検知手段が検知した検知回数を計数し、この計数値が予め設定した一回開閉分の規定値を超えたときに、エラー信号を出力する第３のエラー検知手段を備えることが好ましい。これにより、より早い段階で不正行為を検知することができる。
【発明の効果】
【００１２】
本発明の弾球遊技機によれば、開閉部材が所定回数連続して開閉駆動される連続開閉期間中は第２のエラー検知手段を作動させるため、連続開閉期間中であっても不正に入賞口に入賞させる不正行為を検知することができる。
【発明を実施するための最良の形態】
【００１３】
図１に示すように、パチンコ機（弾球遊技機）１０は、本体枠１１の内部に遊技盤１２が配設されており、本体枠１１の前面には前面扉１３が開閉自在に組み付けられている。前面扉１３の下方には、パチンコ球（遊技球）９を収容する受け皿１４、及びパチンコ球９を遊技盤１２の遊技領域１２ａに打ち出すときに操作される操作ハンドル１５が設けられている。前面扉１３の中央部には開口が形成されており、前面扉１３に設けられたガラス板を介して遊技領域１２ａが視認できる。
【００１４】
遊技領域１２ａの略中央上部には、遊技内容に応じて３個の図柄・数字が変動表示されるＬＣＤ１６が設けられている。ＬＣＤ１６の側方にはスルーチャッカー１７が設けられている。スルーチャッカー１７の入賞口にはスルー入賞センサ１８（図３参照）が設けられている。スルー入賞センサ１８は入賞球を検知すると入賞信号を出力する。また、ＬＣＤ１６の下方には、上から順に、２本の釘２０、第１始動チャッカー２１、第２始動チャッカー２２、アタッカ２３、入賞せずに遊技領域１２ａを流下したアウト球を回収するアウト口２４が設けられている。アタッカ２３は大入賞口２５を有し、大入賞口２５の奥には大入賞センサ２６（図３参照）が設けられている。大入賞センサ２６は入賞球を検知すると入賞信号を出力する。
【００１５】
図２に示すように、第１始動チャッカー２１は、上面が開放されたベース（構造部材）３０と、このベース３０に設けられた第１始動入賞口３１とを有する。２本の釘２０の間を通過したパチンコ球９が第１始動入賞口３１に入賞する。釘２０の間隔は、パチンコ球９が１個通る程度のサイズになっている。第１始動入賞口３１の奥には第１始動入賞センサ３２（図３参照）が設けられており、この第１始動入賞センサ３２は入賞球を検知すると入賞信号を出力する。
【００１６】
第２始動チャッカー２２は、上面が開放されたベース３３と、ベース３３に設けられた第２始動入賞口（入賞口）３４と、ベース３３の左右両端部に設けられた回転軸３５を介して取り付けられた一対の開閉羽根（開閉部材）３６と、開閉羽根３６を回転軸３５回りに揺動させる羽根駆動部（開閉部材駆動手段）３７とを有する。第２始動入賞口３４の奥には第２始動入賞センサ（遊技球検知手段）３９が設けられており（図３参照）、第２始動入賞センサ３９は入賞球を検知すると入賞信号を出力する。
【００１７】
一対の開閉羽根３６は、略逆ハの字形になって、第１始動チャッカー２１のベース３０との間に形成される左右の入賞経路を開放する開位置（二点鎖線で示す）と、互いに平行に起立して入賞経路を閉鎖する閉位置（実線で示す）との間で揺動する。羽根駆動部３７は、例えばソレノイド及びこのソレノイドの駆動力を一対の開閉羽根３６に伝達して揺動させる伝達機構とから構成する。一対の開閉羽根３６は互いに機構的に連動して開閉する構成になっている。羽根駆動部３７は、制御部５０（図３参照）から入力される指示信号に基づいて一対の開閉羽根３６を駆動する。制御部５０からの指示信号には開指示信号（開閉羽根３６を開位置に移動させるためにソレノイドをオンにする旨の指示信号）と、閉指示信号（開閉羽根３６を閉位置に移動させるためにソレノイドをオフにする旨の指示信号）とがある。
【００１８】
第１始動チャッカー２１のベース３０の下面３０ａには、開閉羽根３６が閉位置に位置しているか否かを検出する羽根位置センサ（位置検出手段）３８が設けられている。羽根位置センサ３８は、下面３０ａにおいて、閉位置に位置した右側の開閉羽根３６の先端部３６ａが対面する位置に配置されている。羽根位置センサ３８は、開閉羽根３６の先端部３６ａを検出しているときに閉信号を出力し、開閉羽根３６の先端部３６ａを検出しないときに開信号を出力する。羽根位置センサ３８としては、例えば、検査光を下方に出射しこの検査光が反射して戻ったか否かにより開閉羽根３６の先端部３６ａを検出する光センサや、磁界の変化により開閉羽根３６の先端部３６ａを検出する磁気センサ（この場合には開閉羽根３６の先端部３６ａにパチンコ球９を吸着しない程度の磁力をもつ磁石を取り付ける）などを用いることができる。
【００１９】
図３のパチンコ機１０の電気的構成を示すブロック図において、パチンコ機１０の各部は制御部５０によって統括的に制御されている。制御部５０は内部に記憶している遊技制御プログラムに基づいて各部を制御する。パチンコ機１０は、通常の遊技を行う通常モードと、この通常モードよりも遊技者が有利に遊技を行うことができる通常大当りモード及び確変大当りモードとを有する。
【００２０】
制御部５０にはパチンコ機１０の内部に備えられた球払出装置４９が接続されており、制御部５０は、第１始動入賞センサ３２、第２始動入賞センサ３９、大入賞センサ２６から入賞信号が入力されると、各入賞信号に応じた個数の賞球が受け皿１４に払い出されるように球払出装置４９の駆動を制御する。
【００２１】
大当り抽選部５１は、第１始動入賞センサ３２または第２始動入賞センサ３９から制御部５０に入賞信号が入力されたことに応答して作動される。大当り抽選部５１は、複数の乱数の中から１の乱数値を取得し、この取得した乱数値を決定テーブルと照合して抽選を行っている。決定テーブルには、ハズレ、通常大当りモードに移行させる通常大当り、及び確変大当りモードに移行させる確変大当りが割り当てられている。
【００２２】
通常大当りモード及び確変大当りモードでは、アタッカ２３が開放されて、このアタッカ２３が３０秒間開放状態を維持するか、またはアタッカ２３の大入賞口２５にパチンコ球９が１０個入賞されることを１ラウンドとして、所定回数（例えば１５回）のラウンドが継続して実行される。また、確変大当りモードでは、通常モードで使用される決定テーブルよりも大当り確率が高い確変用決定テーブルが使用され、この確変大当りモードは次回大当りが抽選されるまで続く。
【００２３】
開閉抽選部５２は、スルー入賞センサ１８から入賞信号が制御部５０に入力されたことに応答して、第２始動チャッカー２２を開放するか否かの開閉抽選を行う。開閉抽選で当選した場合（所定の条件が満たされた場合）には、通常モードのときには、開閉羽根３６を一定時間（例えば、０．３秒）開放するように羽根駆動部３７が制御される。このように通常モードのときに開閉羽根３６が一定時間開放される期間を通常開閉期間と称する。一方、通常大当りモード及び確変大当りモードのときには、開閉羽根３６を所定時間（例えば１．５秒）開放する開閉動作を所定回数（例えば３回）連続して行うように羽根駆動部３７が制御される。このように通常大当りモード及び確変大当りモードのときに開閉羽根３６が所定回数連続して開放する期間を連続開閉期間と称する。
【００２４】
連続開閉期間の始まりは、制御部５０が羽根駆動部３７に開指示信号を入力したときであり、連続開閉期間の終わりは、連続開閉期間開始後に羽根位置センサ３８が３回目の閉信号を制御部５０に入力してからさらに待機時間が経過したときである。この待機時間は、第２始動入賞口３４に入り込んだパチンコ球９が第２始動入賞センサ３９に検知されるまでの時間を確保するために設けられている。なお、この待機時間を特に設けない構成にしてもよい。
【００２５】
制御部５０は、第１エラー検知部（第１のエラー検知手段）５３及び第２エラー検知部（第２のエラー検知手段）５４を有している。第１エラー検知部５３は、通常開閉期間及び連続開閉期間を除く期間中に開閉羽根３６が開かれたことをエラーとして検知するものである。第１エラー検知部５３は、通常開閉期間及び連続開閉期間を除く期間中に作動し（つまり通常開閉期間中及び連続開閉期間中には作動を停止する）、羽根位置センサ３８が開位置に位置したときにエラー信号を出力する。制御部５０が第１エラー検知部５３の作動を停止する制御手段として機能する。
【００２６】
第２エラー検知部５４は、連続開閉期間中に第２始動入賞口３４に多数の入賞があったことをエラーとして検知するものである。第２エラー検知部５４は、連続開閉期間中に第２始動入賞センサ３９が検知した検知回数を計数してゆくカウンタ５５と、予め設定した規定値（この規定値には連続開閉期間中に入賞可能な最大の入賞数が設定されている。つまり連続開閉期間中に規定値を超える入賞があったときには開閉羽根３６が強制的に開かれていると考えられる）を記憶する規定値記憶部５６とを有する。カウンタ５５のカウント値（計数値）は連続開閉期間の開始時にゼロに初期設定される。第２エラー検知部５４は、カウンタ５５のカウント値が規定値記憶部５６に記憶された規定値を超えたときにエラー信号を出力する。
【００２７】
制御部５０は、第１エラー検知部５３または第２エラー検知部５４からエラー信号が出力された場合には、球払出装置４９の払い出し動作を停止するエラー処理を行う。なお、エラー処理として、ＬＣＤ１６（図１参照）にエラーを表示したり、図示しないランプを点灯させたりするなどの動作を加えて行ってもよい。
【００２８】
以下、上記構成による作用について説明する。操作ハンドル１５が操作されると、パチンコ球９が遊技領域１２ａの上部に向けて発射され、このパチンコ球９が遊技領域１２ａを流下する。パチンコ球９がスルーチャッカー１７に入賞すると開閉抽選部５２で開放抽選が行われる。
【００２９】
通常モード時に開放抽選に当選した場合には、第２始動チャッカー２２が一回開閉される通常開閉期間が設定される。通常モードでは通常開閉期間を除く期間は第１エラー検知部５３が作動し、通常開閉期間は第１エラー検知部５３の作動が停止する。通常モード時に開閉羽根３６が強制的に開かれて不正に第２始動入賞口３４に入賞させる不正行為が行われた際には、第１エラー検知部５３からエラー信号が出力されてエラー処理が行われる。
【００３０】
通常大当りモード時または確変大当りモード時に開放抽選に当選した場合には、第２始動チャッカー２２が所定回数連続して開閉される連続開閉期間が設定される。通常大当りモード及び確変大当りモードでは連続開閉期間を除く期間は第１エラー検知部５３が作動している。
【００３１】
開閉羽根３６の連続開閉動作の流れを示すフローチャートである図４において、開放抽選に当選すると、第１エラー検知部５３の作動が停止される。また、連続開閉期間が設定され、開閉羽根３６の開閉回数Ｎ（この開閉回数Ｎは制御部５０に書き換え可能に記憶されている）に、所定回数（例えば３回）がセットされる。
【００３２】
開閉羽根３６が開位置に移動して第２始動入賞口３４にパチンコ球９が入賞すると、第２始動入賞センサ３９が制御部５０に入賞信号を入力する。第２エラー検知部５４のカウンタ５５は、連続開閉期間の開始時にゼロに初期設定された後、第２始動入賞センサ３９から入賞信号が入力される度にカウント値を加算してゆく。カウンタ５５のカウント値が規定値記憶部５６に記憶された規定値を超えたときには第２エラー検知部５４からエラー信号が出力される。エラー信号が出力されたときにはエラー処理が行われる。
【００３３】
開閉羽根３６は所定時間（例えば１．５秒）が経過すると閉位置に移動する。羽根位置センサ３８が閉信号を出力してから予め設定された待機時間が経過すると、開閉回数Ｎの値が１減算される。開閉羽根３６の開閉動作は開閉回数Ｎがゼロになるまで繰り返され、結果として開閉羽根３６は開閉動作を所定回数（例えば３回）行う。
【００３４】
第２エラー検知部５４のカウンタ５５は連続開閉期間中に継続して計数を行い、連続開閉期間が終了すると計数を停止する。連続開閉期間が終了すると、第１エラー検知部５３が作動を開始する。
【００３５】
このように、連続開閉期間中に第２エラー検知部５４が作動するため、連続開閉期間中であっても不正に第２始動入賞口３４に入賞させる不正行為を検知することができる。
【００３６】
なお、上記実施形態では、連続開閉期間の全期間を通してカウンタ５５が入賞数をカウントしてエラー判定を行ったが、この構成に加えて、連続開閉期間のうち開閉羽根３６が一回開閉される期間毎に入賞数をカウントしてエラー判定を行ってもよい。ここで、連続開閉期間の中で開閉羽根３６が一回開閉される期間を一回開閉期間と称する。連続開閉期間の中には所定数（上記実施形態では３）の一回開閉期間が含まれている。図５に示すように、制御部５０は、第１及び第２エラー検知部５３，５４に加えて、第３エラー検知部１００を有する。第３エラー検知部１００は、一回開閉期間中に第２始動入賞口３４に入賞した入賞数をカウントするカウンタ１０１と、予め設定した一回開閉分の規定値（この規定値には一回開閉期間中に入賞可能な最大の入賞数が設定されている。つまり一回開閉期間中に規定値を超える入賞があったときには開閉羽根３６が強制的に開かれていると考えられる）を記憶する規定値記憶部１０２とを有する。カウンタ１０１のカウント値は一回開閉期間の開始時にゼロに初期設定される。カウンタ１０１のカウント値が規定記憶部１０２に記憶された規定値を超えたときに、第３エラー検知部１００がエラー信号を出力する。第３エラー検知部１００を加えることにより、より迅速に不正行為を検知することができる。なお、制御部５０が、第２エラー検知部５４を用いずに、第１エラー検知部５３及び第３エラー検知部１００だけを備える構成にしてもよい。
【００３７】
上記実施形態では、左右の開閉羽根３６が互いに機構的に連動して開閉することから、右側の開閉羽根３６に対応した羽根位置センサ３８だけを設けたが、左右の開閉羽根３６が機構的に連動しない構成（すなわち一方の開閉羽根を強制的に開いても他方の開閉羽根が開かない構成）である場合には、左右の開閉羽根３６にそれぞれ対応した羽根位置センサを設けることが必要になる。
【００３８】
上記実施形態において、通常開閉期間中においても第２始動入賞口３４への入賞数をカウントし、このカウント値が予め設定した規定値を超えたときにエラー処理を行う構成にしてもよい。
【００３９】
上記実施形態では、開閉羽根３６が閉位置のときには入賞経路を完全に塞ぐ構成であったが、例えばパチンコ球一個分程度の隙間をあけて入賞経路を塞ぐ構成にしてもよい。
【図面の簡単な説明】
【００４０】
【図１】パチンコ機の外観斜視図である。
【図２】第２始動チャッカーの正面図である。
【図３】パチンコ機の電気的構成を示すブロック図である。
【図４】連続開閉期間における開閉動作の流れを示すフローチャートである。
【図５】第３エラー検知部を加えた場合の制御部を示すブロック図である。
【符号の説明】
【００４１】
９  パチンコ球（遊技球）
１０  パチンコ機（弾球遊技機）
２２  第２始動チャッカー
３０  ベース（構造部材）
３４  第２始動入賞口（入賞口）
３６  開閉羽根（開閉部材）
３７  羽根駆動部（開閉部材駆動手段）
３８  羽根位置センサ（位置検出手段）
３９  第２始動入賞センサ（遊技球検知センサ）
５０  制御部
５３  第１エラー検知部（第１のエラー検知手段）
５４  第２エラー検知部（第２のエラー検知手段）
５５  カウンタ
５６  規定値記憶部
１００  第３エラー検知部（第３のエラー検知手段）
１０１  カウンタ
１０２  規定値記憶部
【図１】
2009061145.tif 000003
【図２】
2009061145.tif 000004
【図３】
2009061145.tif 000005
【図４】
2009061145.tif 000006
【図５】
2009061145.tif 000007